(57)【要約】【課題】水深の浅い河川等の流水のエネルギーを用いて発電できる発電装置を提供する。【解決手段】河川等の流水の両岸に跨って取付台２２を流水の水面上に配設し、この取付台２２に回転軸２６を軸受２４により回転自在に配設する。回転軸２６の一端部に、幅方向断面形状が翼形の羽根３４を回転軸２６に対して放射状に複数枚配設して羽根車２８を形成する。回転軸２６の他端部に流水の水面上で発電機３０を連結する。羽根車２８をその回転外径よりも水深の浅い流水に水没させるとともに、羽根車２８の回転面を流水面に対して流水方向Ｕに僅かな角度Ｋだけ傾斜させて配設する。【選択図】　図１
2004068777.tif 000002
【特許請求の範囲】
【請求項１】
回転軸の一端部に、幅方向断面形状が翼形の羽根を前記回転軸に対して放射状に複数枚配設して羽根車を形成し、前記回転軸の他端部に発電機を連結し、前記羽根車をその回転外径よりも水深の浅い流水に浸すとともに前記羽根車の回転面を流水面に対して流水方向に傾斜させて配設して構成したことを特徴とする発電装置。
【請求項２】
請求項１記載の発電装置において、前記羽根車を前記流水に水没するように配設して構成したことを特徴とする発電装置。
【請求項３】
請求項１記載の発電装置において、前記発電機を前記流水の水面上に配設して構成したことを特徴する発電装置。
【発明の詳細な説明】
【０００１】
【発明の属する技術分野】
本発明は、水深の浅い河川や水路等の流水のエネルギーを利用して発電を行うことのできるようにした発電装置に関するものである。
【０００２】
【従来の技術】
従来の水力発電の大規模な発電装置としては、河川の流れを堰き止め、堰き止められた流水を導水路を介して水車に導き、その流水のエネルギーにより水車を回転させて発電を行う方式や、高低差を利用して、導水管により水を高い所から低い所へ一気に流下させ、流下する水のエネルギーにより水車を回転させて発電を行う方式等がある。これらの大規模な発電装置は、流れを堰き止める施設と導水路および導水管等の設置のために大掛かりな土木工事が必要であり、建設費が嵩むという問題がある。また、これらの土木工事にともない、周囲の自然の動植物体系に著しいダメージを与える蓋然性が高いという問題がある。
【０００３】
そこで、これらの大掛かりな土木工事を伴わずに、河川等の流水のエネルギーによって発電を行う方式として、軸流羽根車の回転面が流水と直交するようにして、軸流羽根車を流水に水没させて配設し、この軸流羽根車の回転軸に発電機を連結した発電装置が提案されている。
【０００４】
図７は、軸流羽根車を用いた従来の発電装置の一例を示す図である。図７において、発電機１０がその回転軸１２を突出させて筐体１４内に水密構造に収納される。この回転軸１２の突出端部に軸流羽根車１６が固定される。そして、軸流羽根車１６の回転面が流水の流水方向Ｕに対して直交するように、筐体１４が河川の底部１８等に架台２０により配設固定される。なお、軸流羽根車１６の全体が流水に水没するように、軸流羽根車１６の回転外径が設定される。
【０００５】
【発明が解決しようとする課題】
図７に示す従来の軸流羽根車１６を用いた発電装置にあっては、河川等の流水の水深が深ければ、軸流羽根車１６の回転外径を適宜に大きく設定でき、発電装置としてそれなりに有効である。しかるに、流水の水深が浅くなると、これにともない軸流羽根車１６の回転外径も小さく設定しなければならず、流水のエネルギーを有効に活用し難い。そして、流水の水深が極めて浅くなると、軸流羽根車１６の回転外径が非現実的な小ささとなり、もはや発電は不可能となる。
【０００６】
また、図７の発電装置は、発電機１０が水面下にあり、筐体１４による水密構造が必要であり、それだけ装置が高価なものとなる。そこで、軸流羽根車１６の回転軸１２の回転を、流水の水面上に配設した発電機１０の回転軸に、チェーン等により駆動連結することで、発電機１０を水密構造としなくても良い構造も考えられるが、駆動連結するためのチェーン等の破損や効率の劣化、さらには潤滑油の漏れ等の問題が生ずると考えられる。
【０００７】
本発明は、上述のごとき従来技術の不具合に鑑みてなされたもので、水深の浅い流水のエネルギーを用いて発電できる発電装置を提供することを目的とする。
【０００８】
【課題を解決するための手段】
かかる目的を達成するために、本発明の発電装置は、回転軸の一端部に、幅方向断面形状が翼形の羽根を前記回転軸に対して放射状に複数枚配設して羽根車を形成し、前記回転軸の他端部に発電機を連結し、前記羽根車をその回転外径よりも水深の浅い流水に浸すとともに前記羽根車の回転面を流水面に対して流水方向に傾斜させて配設して構成されている。
【０００９】
そして、前記羽根車を前記流水に水没するように配設して構成しても良い。
【００１０】
また、前記発電機を前記流水の水面上に配設して構成することもできる。
【００１１】
【発明の実施の形態】
以下、本発明の第１実施例を図１ないし図５を参照して説明する。図１は、本発明の発電装置の第１実施例の側面図である。図２は、図１のＡ矢視図である。図３は、図１の羽根車の外観斜視図である。図４は、羽根車が回転する原理を説明するための図である。図５は、羽根の幅方向断面形状の一例を示す図である。
【００１２】
まず、開水路等の両岸に跨って取付台２２が流水の水面上に配設され、この取付台２２に軸受２４，２４で回転軸２６が軸回りに回転自在に配設される。この回転軸２６の一端部には、羽根車２８が配設固定される。また、回転軸２６の他端部は、取付台２２に固定された発電機３０の入力軸に、軸継手３２を介して駆動連結される。羽根車２８は、図３に示すごとく、幅方向断面形状が翼形の羽根３４，３４…が、一例として回転軸２６に対して略放射状で４枚が均等に配設固定される。
【００１３】
そして、羽根車２８の回転外径は、流水の水深より大きく、回転軸２６の発電機３０側が垂直方向から流水方向Ｕの下流側に小さな角度Ｋだけ傾斜するように配設して、羽根車２８の回転面Ｓが流水面に対して流水方向Ｕに対して角度Ｋだけ傾斜して配設される。
【００１４】
かかる構成の本発明の発電装置の動作原理を、図４を参照して説明する。なお、図４にあっては、説明を簡単とするために２枚の羽根３４ａ，３４ｂにて羽根車２８が形成されている。また、図４にあっては、回転軸２６と直交する面上に、幅方向断面形状が翼形の２枚の羽根３４ａ，３４ｂが軸対称位置に配設される。そこで、回転軸２６が角度Ｋだけ傾いて配設されることにより、流水方向Ｕに翼形の先端を向けた前向きの羽根３４ａは、流水面に対して角度Ｋの仰角を備え、流水方向Ｕに翼形の終端を向けた後ろ向きの羽根３４ｂは、流水面に対して角度Ｋの俯角を備える。そこで、流水により、一方の羽根３４ａに、上向きの大きな揚力Ｌａと流水方向Ｕの小さな抗力Ｄａが作用し、他方の羽根３４ｂに、上向きの小さな揚力Ｌｂと流水方向Ｕの大きな抗力Ｄｂが作用する。すると、一方の羽根３４ａに作用する揚力Ｌａと抗力Ｄａの合成力Ｒａは、回転軸２６の傾きＫよりも垂直方向からの傾きが小さく、羽根車２８の回転面Ｓの方向で略流水方向Ｕと反対方向の力Ｆａが生ずる。また、他方の羽根３４ｂに作用する揚力Ｌｂと抗力Ｄｂの合成力Ｒｂは、回転軸２６の傾きＫよりも更に傾いていて、回転面Ｓの方向で略流水方向Ｕと同方向の力Ｆｂが生ずる。したがって、これらの回転面Ｓの方向の力Ｆａ、Ｆｂにより羽根車２８が回転し、この回転により発電機３０が回転されて発電がなされる。そして、羽根の進む速度が流水の速度を超えると、羽根３４ｂの抗力Ｄｂが減少して揚力Ｌｂが大きくなり、羽根３４ａと同様な作用で回転力を生じるようになる。
【００１５】
この羽根車２８を回転させるトルクは、羽根車２８の回転外径が大きいほど、また羽根３４，３４…の枚数がある程度多いほど大きくなる。また、図５に示すごとく、翼形の形状と、回転軸２６と直交する回転面Ｓに対して翼形の先端と終端が交叉する取付角β、および回転軸２６の傾斜角度Ｋにより、回転トルクが変化する。羽根３４の取付角βが小さいと流れに対して後ろ向きの羽根３４ｂの抗力Ｄｂが大きいので起動性が良好となるが、高速回転領域で強力な回転トルクが望めない。そして、回転軸２６の傾斜角度Ｋにより、流水の水深に対して用いることのできる羽根車２８の回転外径が定まる。そこで、これらの回転トルクに関する要因を適宜に選択することで、効率良い発電装置を得ることができる。
【００１６】
上記第１実施例の発電装置にあっては、水深の浅い河川や水路等の流水のエネルギーを有効に活用して発電を行うことができる。しかも、水深の浅い河川等の流水の幅方向のほぼ全体を利用することができる。そして、羽根車２８が常に流水に完全に水没するように配設することで、全ての羽根３４，３４…に常に流水のエネルギーが作用し、羽根車２８が円滑に回転でき、しかも羽根車２８の回転により水の飛散や騒音がない。また、羽根３４，３４…に常に流水のエネルギーが作用し、羽根３４，３４…に作用する力の変動が少なく、それだけ金属疲労も少ない。さらに、大掛かりな土木工事を必要とせず、周囲の自然の動植物体系を何ら破損することがなく、環境に調和している。さらにまた、発電機３０および軸受２４，２４が流水の水面上に配設されるので、これらの回転部分を潤滑するための潤滑油で流水を汚す虞がない。そしてさらに、発電機３０が水没しないので、発電機３０を筐体内に水密構造で収納したり、発電機３０自体を水密構造とする必要がなく、それだけ構造が簡単である。
【００１７】
なお、第１実施例にあっては、羽根車２８が完全に流水に水没するように配設されるが、これに限られず、羽根車２８の回転面Ｓの一部分が水面から突出するするように流水に浸して配設しても、羽根車２８は回転し、発電は可能である。
【００１８】
次に、本発明の第２実施例を図６を参照して説明する。図６は、本発明の発電装置の第２実施例の側面図である。図６において、図１ないし図３に示す部材と同じまたは均等な部材には、同じ符号を付けて重複する説明を省略する。
【００１９】
図６に示す第２実施例が、図１に示す第１実施例と相違するところは、回転軸２６の発電機３０側が垂直方向から流水方向Ｕの上流側に小さな角度Ｋだけ傾斜して配設されることにある。かかる構成では、羽根３４，３４…に作用する揚力は下向きに作用するが、第１実施例と同様に、翼形が流水方向Ｕに前向きの羽根３４には略流水方向Ｕと反対方向の力が作用し、流水方向Ｕに後ろ向きの羽根３４には流水方向Ｕと同方向の力が作用し、羽根車２８が回転される。
【００２０】
なお、本発明の発電装置において、羽根車２８は、上記した実施例に限られるものでなく、翼形や取付角βは適宜設定できることは勿論であり、また、羽根３４，３４…の枚数は３枚以上であれば自己起動性を含めて実用化し得る。
【００２１】
【発明の効果】
以上説明したように本発明の発電装置は構成されているので、以下のごとき格別な作用効果を奏する。
【００２２】
請求項１記載の発電装置にあっては、水深の浅い流水のエネルギーで羽根車を回転させて発電機を回転させることができる。もって、水深の浅い河川や水路等の流水のエネルギーを有効に活用した発電が可能である。しかも、周囲の自然の動植物体系を破損することがなく、環境に調和した発電装置である。
【００２３】
請求項２記載の発電装置にあっては、羽根車が流水に完全に水没するので、全ての羽根に常に流水のエネルギーが作用し、羽根車が円滑に回転でき、しかも羽根車の回転により水の飛散や騒音がない。
【００２４】
請求項３記載の発電装置にあっては、発電機が水面上に配設するので、発電機を水密構造で収納する必要がなく、また発電機自体を水密構造とする必要がなく、それだけ構造が簡単となり、保守点検が容易となる。また、発電機等の回転部分を潤滑するための潤滑油で、流水を汚す虞がない。
【図面の簡単な説明】
【図１】本発明の発電装置の第１実施例の側面図である。
【図２】図１のＡ矢視図である。
【図３】図１の羽根車の外観斜視図である。
【図４】羽根車が回転する原理を説明するための図である。
【図５】羽根の幅方向断面形状の一例を示す図である。
【図６】本発明の発電装置の第２実施例の側面図である。
【図７】軸流羽根車を用いた従来の発電装置の一例を示す図である。
【符号の説明】
１０，３０　発電機
１２，２６　回転軸
２２　取付台
２４　軸受
２８　羽根車
３２　軸継手
３４　羽根
【図１】
2004068777.tif 000003
【図２】
2004068777.tif 000004
【図３】
2004068777.tif 000005
【図４】
2004068777.tif 000006
【図５】
2004068777.tif 000007
【図６】
2004068777.tif 000008
【図７】
2004068777.tif 000009